(57)【要約】【課題】  被保護者が入浴など所定の行動を採ったときであって、この被保護者が通常状態である場合には、保護者に対し無意図的に通報信号が出力されないようにすると共に、被保護者が異常状態になった場合には、保護者に対し通報信号が出力されるようにする。【解決手段】  被保護者保護装置１は、被保護者２側に設けられ通報信号を出力可能とする発信装置３、警報を出力可能とする警報装置４、この警報装置４をオンさせて警報を出力させるオンスイッチ５、および警報装置４をオフさせて警報の出力を停止させるオフスイッチ６と、被保護者２を保護すべき保護者７側に設けられて発信装置３から出力される通報信号を受信する受信装置８とを備える。オンスイッチ５がオンされてから第１所定時間の経過後に警報装置４が警報を出力するようにし、この警報装置４が警報を第２所定時間以上にわたり出力したとき、発信装置３が通報信号を出力するようにする。【選択図】    図１
2005216063.tif 000002
【特許請求の範囲】
【請求項１】
老人等被保護者側に設けられ通報信号を出力可能とする発信装置、警報を出力可能とする警報装置、この警報装置をオンさせて警報を出力させるオンスイッチ、および上記警報装置をオフさせて上記警報の出力を停止させるオフスイッチと、上記被保護者を保護すべき保護者側に設けられて上記発信装置から出力される通報信号を受信する受信装置とを備え、上記オンスイッチがオンされてから第１所定時間の経過後に上記警報装置が警報を出力するようにし、この警報装置が警報を第２所定時間以上にわたり出力したとき、上記発信装置が通報信号を出力するようにしたことを特徴とする老人等被保護者保護装置。
【請求項２】
上記第１所定時間を長短選択可能としたことを特徴とする請求項１に記載の老人等被保護者保護装置。
【請求項３】
上記オンスイッチを、建物の固定側部材に取り付けられて上記被保護者の存在を検出するセンサーとしたことを特徴とする請求項１、もしくは２に記載の老人等被保護者保護装置。
【請求項４】
上記警報装置とオン、オフスイッチとを一体的に構成して被保護者により持ち運び可能な複合体とし、上記オン、オフスイッチへの操作で、上記警報装置をオン、オフ可能としたことを特徴とする請求項１、もしくは２に記載の老人等被保護者保護装置。
【発明の詳細な説明】
【技術分野】
【０００１】
本発明は、老人等の被保護者に健康上などの障害が生じて異常状態になった場合、この被保護者から離れたところに保護者が居るとしても、この保護者により、上記被保護者の保護が迅速かつ確実にできるようにする被保護者保護装置に関するものである。
【背景技術】
【０００２】
上記被保護者保護装置には、従来、下記特許文献１に示されたものがある。この公報のものによれば、入浴中の被保護者に所定時間の間、体動が無ければ、この被保護者が異常状態にあると判断されて保護者に向け通報信号が出力され、もって、被保護者の保護が図られる、というものである。
【０００３】
【特許文献１】特開２００２−３４９９５５公報
【発明の開示】
【発明が解決しようとする課題】
【０００４】
ところで、被保護者は体動なしにゆっくりと入浴することがあると考えられるが、このような場合、上記従来の技術では、保護者に対し無意図的に通報信号が出力されるおそれがあって好ましくない。
【０００５】
また、入浴中の被保護者が異常状態にあるとしても、体動がある場合があり、この場合には、通常状態であると判断されて、保護者に対し通報信号が出力されないおそれがある。
【課題を解決するための手段】
【０００６】
本発明は、上記のような事情に注目してなされたもので、本発明の目的は、被保護者が入浴など所定の行動を採ったときであって、この被保護者が通常状態である場合には、仮に、何らの体動なしに長時間を過ごしたとしても、保護者に対し無意図的に通報信号が出力されないようにすると共に、体動があるとしても、被保護者が異常状態になった場合には、保護者に対し通報信号が出力されるようにすることである。
【０００７】
請求項１の発明は、老人等被保護者２側に設けられ通報信号を出力可能とする発信装置３、警報を出力可能とする警報装置４、この警報装置４をオンさせて警報を出力させるオンスイッチ５、および上記警報装置４をオフさせて上記警報の出力を停止させるオフスイッチ６と、上記被保護者２を保護すべき保護者７側に設けられて上記発信装置３から出力される通報信号を受信する受信装置８とを備え、上記オンスイッチ５がオンされてから第１所定時間の経過後に上記警報装置４が警報を出力するようにし、この警報装置４が警報を第２所定時間以上にわたり出力したとき、上記発信装置３が通報信号を出力するようにしたものである。
【０００８】
請求項２の発明は、請求項１の発明に加えて、上記第１所定時間を長短選択可能としたものである。
【０００９】
請求項３の発明は、請求項１、もしくは２の発明に加えて、上記オンスイッチ５を、建物の固定側部材に取り付けられて上記被保護者２の存在を検出するセンサーとしたものである。
【００１０】
請求項４の発明は、請求項１、もしくは２の発明に加えて、上記警報装置４とオン、オフスイッチ５，６とを一体的に構成して被保護者２により持ち運び可能な複合体１１とし、上記オン、オフスイッチ５，６への操作で、上記警報装置４をオン、オフ可能としたものである。
【００１１】
なお、この項において、上記各用語に付記した符号は、本発明の技術的範囲を後述の「実施例」の項の内容に限定解釈するものではない。
【発明の効果】
【００１２】
本発明による効果は、次の如くである。
【００１３】
請求項１の発明は、老人等被保護者側に設けられ通報信号を出力可能とする発信装置、警報を出力可能とする警報装置、この警報装置をオンさせて警報を出力させるオンスイッチ、および上記警報装置をオフさせて上記警報の出力を停止させるオフスイッチと、上記被保護者を保護すべき保護者側に設けられて上記発信装置から出力される通報信号を受信する受信装置とを備え、上記オンスイッチがオンされてから第１所定時間の経過後に上記警報装置が警報を出力するようにし、この警報装置が警報を第２所定時間以上にわたり出力したとき、上記発信装置が通報信号を出力するようにしてある。
【００１４】
このため、被保護者が入浴や用便など所定の行動を採ったときの始期に、この被保護者が上記オンスイッチにより上記警報装置をオンさせれば、このオンから第１所定時間の経過後にこの警報装置が警報を出力する。この場合、上記被保護者が上記オフスイッチにより警報装置をオフしてリセットさせれば、上記発信装置から保護者側の受信装置への通報信号の出力は防止される。
【００１５】
よって、被保護者が上記所定の行動を採ったときであって、この被保護者が何らの体動なしに長時間を過ごしたとしても、上記警報装置が警報を出力したとき、この警報装置をオフにするという行動を上記被保護者が採りさえすれば、保護者に対し発信装置から無意図的に通報信号が出力されるということは防止される。
【００１６】
また、上記警報装置は、そのオンから上記第１所定時間の経過後に警報を出力するため、例えば、被保護者が上記所定の行動中に無意図的に居眠りしがちとなっても、これは、上記警報の出力により防止されると共に、この警報は、被保護者が所定の行動中である、ということをこの被保護者自身に再認識させる上で、有益である。
【００１７】
一方、上記警報装置が警報を出力しているとき、被保護者が異常状態にあって、上記オフスイッチへの操作ができず、そのまま、上記第２所定時間が経過したときには、発信装置が通報信号を出力し、この通報信号は上記受信装置により受信されて、上記被保護者が異常状態である、ということが保護者に知らされる。
【００１８】
よって、被保護者が上記所定の行動中に異常状態となり、この際、体動があるとしても、上記発信装置から受信装置に通報信号が出力されることにより、上記被保護者は保護者により、迅速、かつ、より確実に保護される。
【００１９】
請求項２の発明は、上記第１所定時間を長短選択可能としてある。
【００２０】
このため、上記被保護者の上記所定の行動の内容に照らして、上記第１所定時間を適正に選択できる。よって、上記警報装置による警報の出力ピッチが短すぎて、繰り返し出力される警報が被保護者にとって煩わしく感じるということが防止されると共に、上記警報装置による警報の出力ピッチが長過ぎるということが防止され、被保護者が異常状態になったときには、これを直ちに保護者に知らせることができて、被保護者が迅速に保護される。
【００２１】
請求項３の発明は、上記オンスイッチを、建物の固定側部材に取り付けられて上記被保護者の存在を検出するセンサーとしてある。
【００２２】
このため、上記オンスイッチによる警報装置のオンは、単に、上記オンスイッチの近傍に被保護者が存在することにより自動的に達成され、よって、その分、上記被保護者保護装置による被保護者の保護作業が容易、かつ、確実にできる。
【００２３】
請求項４の発明は、上記警報装置オン、オフスイッチとを一体的に構成して被保護者により持ち運び可能な複合体とし、上記オン、オフスイッチへの操作で、上記警報装置をオン、オフ可能としてある。
【００２４】
このため、被保護者は、警報装置、オンスイッチ、およびオフスイッチの設置位置に影響されることなく、自分の意思に基づいて持ち運んでいる複合体のオン、オフスイッチを操作することにより、所望位置、所望条件下で任意に警報装置をオン、オフさせることができ、よって、被保護者を保護する上での自由度が向上して、この被保護者の保護がより確実になされる。
【発明を実施するための最良の形態】
【００２５】
本発明の被保護者保護装置に関し、被保護者が入浴など所定の行動を採ったときであって、この被保護者が何らの体動なしに長時間を過ごした場合であっても、保護者に対し無意図的に通報信号が出力されないようにすると共に、体動があるとしても、被保護者が異常状態になった場合には、保護者に対し通報信号が出力されるようにする、という目的を実現するため、本発明を実施するための最良の形態は、次の如くである。
【００２６】
即ち、被保護者保護装置は、老人等被保護者側である老人の自宅等に設けられ通報信号を出力可能とする発信装置、警報を出力可能とする警報装置、この警報装置をオンさせて警報を出力させるオンスイッチ、および上記警報装置をオフさせて上記警報の出力を停止させるオフスイッチと、上記被保護者を保護すべき保護者側に設けられて上記発信装置から出力される通報信号を受信する受信装置とを備える。
【００２７】
上記オンスイッチがオンされてから第１所定時間の経過後に上記警報装置が警報を出力するようにし、この警報装置が警報を第２所定時間以上にわたり出力したとき、上記発信装置が通報信号を出力して、この通報信号が上記受信装置により受信される。
【実施例】
【００２８】
本発明をより詳細に説明するために、その実施例を添付の図に従って説明する。
【００２９】
図において、符号１は老人等被保護者のための保護装置であり、この保護装置１は、老人等被保護者２側に設けられ通報信号を出力可能とする発信装置３、警報音である警報を出力可能とする警報装置４、この警報装置４をオンさせて上記警報を出力させるオンスイッチ５、および上記警報装置４をオフさせて上記警報の出力を停止させ、この警報装置４を元の状態に戻すようリセットするオフスイッチ６と、上記被保護者２を保護すべき保護者７側に設けられて上記発信装置３から出力される通報信号を受信する受信装置８とを備えている。
【００３０】
上記被保護者２は、例えば、自宅建物にて一人住まいをする在宅者たる老人であり、上記保護者７は、例えば、子などの親族、介護センター、およびセキュリティーセンターなどのうちの少なくともいずれか１つである。また、上記発信装置３と警報装置４、および発信装置３と受信装置８とはそれぞれ有線もしくは無線にて出力信号が送、受信可能とされている。
【００３１】
上記オンスイッチ５がオンされてから第１所定時間の経過後に上記警報装置４がブザー音や音声などの警報音を出力することとされ、一方、この警報装置４が上記警報音を連続して第２所定時間以上にわたり出力したとき、その直後、もしくは、少し遅れて上記発信装置３が上記通報信号を出力することとされ、この通報信号は、上記したように受信装置８により受信される。
【００３２】
上記オンスイッチ５は、防水性で建物の固定側に取り付けられて上記被保護者２の存在を検出するセンサーで構成されている。より具体的には、上記オンスイッチ５は、例えば、浴室の入口に取り付けられる赤外線センサーやフォトカプラー式の光センサーなどで構成され、被保護者２が入浴しようとして上記オンスイッチ５の近傍を通ったとき、このオンスイッチ５が自動的にオンすることとされている。
【００３３】
上記オフスイッチ６は、防水性で建物の固定側である浴槽近傍の浴室の壁に着脱可能に取り付けられる押しボタン操作式のもので構成されている。上記オフスイッチ６を上記固定側から取り外せば、被保護者２によって持ち運び可能とされ、これにより、手元近傍に設置可能とされている。また、上記第１所定時間は、セレクトスイッチやタイマー制御などによって、長短選択可能とされている。また、上記第２所定時間も上記と同様に長短選択可能とされている。
【００３４】
上記構成の被保護者保護装置１による作用につき説明すると、被保護者２が、例えば入浴しようとして、浴室の入口を通過したとき、上記オンスイッチ５が自動的にオンされる。ここで、このオンスイッチ５がオンされてから警報装置４が警報音を出力するまでの第１所定時間は、上記被保護者２の通常の入浴時間よりも十分に短い時間、例えば、１０〜３０分程度を選択することが好ましい。
【００３５】
そして、上記被保護者２の入浴中に、上記第１所定時間が経過すると、上記警報装置４が警報音を出力する。ここで、この警報装置４が警報音を出力してから、発信装置３が保護者７側の受信装置８に向かって通報信号を出力するまでの第２所定時間は、あまり長時間にならないように、例えば、２〜５分程度を選択することが好ましい。
【００３６】
そして、上記した被保護者２の入浴中に、上記したように警報装置４が警報音を出力したとき、上記被保護者２が通常状態であれば、この被保護者２は自分の意思と行動で上記オフスイッチ６を操作して上記警報装置４をオフし、元の状態にリセットさせる。すると、この警報装置４は次の第１所定時間が経過するまで、警報音を出力せず、勿論、発信装置３は受信装置８に向かって、通報信号を出力することはない。
【００３７】
一方、上記した被保護者２の入浴中に、上記したように警報装置４が警報音を出力したとき、上記被保護者２に健康上など何らかの障害が生じたという異常状態であって、上記オフスイッチ６への操作ができず、そのまま、上記第２所定時間が経過したときには、発信装置３が受信装置８に向かって通報信号を出力する。
【００３８】
上記受信装置８が上記通報信号を受信したときには、まず、保護者７が被保護者２に電話をし、被保護者２が電話に出ないか、出たとしても被保護者２からの何らかの要請があったときには、保護者７、もしくはこの保護者７から連絡を受けた者が直ちに被保護者２側の自宅に急行し、被保護者２のために適切な処置を採るなど、被保護者２を保護することとなる。
【００３９】
なお、図１中二点鎖線で示すように、上記警報装置４とオン、オフスイッチ５，６とを一体的に構成して被保護者２により持ち運び可能な防水性の複合体１１とし、上記オン、オフスイッチ５，６への操作で、上記警報装置４がオン、オフ可能となるようにしてもよい。また、上記複合体１１に発信装置３を含ませてもよい。
【００４０】
また、上記警報装置４が出力する警報は、警報音の他、光や振動であってもよい。また、上記した浴室はトイレや居間であってもよく、その状況に上記第１所定時間が合致するよう、この第１所定時間を長短選択すればよい。また、上記被保護者２が浴室から出たときには、これを検出したオンスイッチ５により上記警報装置４の電源が自動的にオフされるようにしてもよい。
【００４１】
上記構成によれば、被保護者２側に設けられ通報信号を出力可能とする発信装置３、警報を出力可能とする警報装置４、この警報装置４をオンさせて警報を出力させるオンスイッチ５、および上記警報装置４をオフさせて上記警報の出力を停止させるオフスイッチ６と、上記被保護者２を保護すべき保護者７側に設けられて上記発信装置３から出力される通報信号を受信する受信装置８とを備え、上記オンスイッチ５がオンされてから第１所定時間の経過後に上記警報装置４が警報を出力するようにし、この警報装置４が警報を第２所定時間以上にわたり出力したとき、上記発信装置３が通報信号を出力するようにしてある。
【００４２】
このため、被保護者２が入浴や用便など所定の行動を採ったときの始期に、この被保護者２が上記オンスイッチ５により上記警報装置４をオンさせれば、このオンから第１所定時間の経過後にこの警報装置４が警報を出力する。この場合、上記被保護者２が上記オフスイッチ６により警報装置４をオフして警報の出力をオフすると共に、この警報装置４をリセットさせれば、上記発信装置３から保護者７側の受信装置８への通報信号の出力は防止される。
【００４３】
よって、被保護者２が上記所定の行動を採ったときであって、この被保護者２が何らの体動なしに長時間を過ごしたとしても、上記警報装置４が警報を出力したとき、この警報装置４をオフにするという行動を上記被保護者２が採りさえすれば、保護者７に対し発信装置３から無意図的に通報信号が出力されるということは防止される。
【００４４】
また、上記警報装置４は、そのオンから上記第１所定時間の経過後に警報を出力するため、例えば、被保護者２が上記所定の行動中に無意図的に居眠りしがちとなっても、これは、上記警報の出力により防止されると共に、この警報は、被保護者２が所定の行動中である、ということをこの被保護者２自身に再認識させる上で、有益である。
【００４５】
一方、上記警報装置４が警報を出力しているとき、被保護者２が異常状態にあって、上記オフスイッチ６への操作ができず、そのまま、上記第２所定時間が経過したときには、発信装置３が通報信号を出力し、この通報信号は上記受信装置８により受信されて、上記被保護者２が異常状態である、ということが保護者７に知らされる。
【００４６】
よって、被保護者２が上記所定の行動中に異常状態となり、この際、体動があるとしても、上記発信装置３から受信装置８に通報信号が出力されることにより、上記被保護者２は保護者７により、迅速、かつ、より確実に保護される。
【００４７】
また、前記したように、第１所定時間を長短選択可能としてある。
【００４８】
このため、上記被保護者２の上記所定の行動の内容に照らして、上記第１所定時間を適正に選択できる。よって、上記警報装置４による警報の出力ピッチが短すぎて、繰り返し出力される警報が被保護者２にとって煩わしく感じるということが防止されると共に、上記警報装置４による警報の出力ピッチが長過ぎるということが防止され、被保護者２が異常状態になったときには、これを直ちに保護者７に知らせることができて、被保護者２が迅速に保護される。
【００４９】
また、前記したように、オンスイッチ５を、建物の固定側部材に取り付けられて上記被保護者２の存在を検出するセンサーとしてある。
【００５０】
このため、上記オンスイッチ５による警報装置４のオンは、単に、上記オンスイッチ５の近傍に被保護者２が存在することにより自動的に達成され、よって、その分、上記被保護者保護装置１による被保護者２の保護作業が容易、かつ、確実にできる。
【００５１】
また、前記したように、警報装置４とオン、オフスイッチ５，６とを一体的に構成して被保護者２により持ち運び可能な複合体１１とし、上記オン、オフスイッチ５，６への操作で、上記警報装置４をオン、オフ可能としてある。
【００５２】
このため、被保護者２は、警報装置４、オンスイッチ５、およびオフスイッチ６の設置位置に影響されることなく、自分の意思に基づいて持ち運んでいる複合体１１のオン、オフスイッチ５，６を操作することにより、所望位置、所望条件下で任意に警報装置４をオン、オフさせることができ、よって、被保護者２を保護する上での自由度が向上して、この被保護者２の保護がより確実になされる。
【図面の簡単な説明】
【００５３】
【図１】被保護者保護装置の全体を示すブロック図である。
【符号の説明】
【００５４】
１    被保護者保護装置
２    被保護者
３    発信装置
４    警報装置
５    オンスイッチ
６    オフスイッチ
７    保護者
８    受信装置
１１  複合体
【図１】
2005216063.tif 000003